(57)【要約】【課題】成形型の型面において、付着物が堆積した結果として成形型に対する成形体の離型性が低下することを防止する。【解決手段】相対向する成形型３の間にシート７を配置する工程と、上型１に設けられたキャビティ４の型面５にシート７を沿わせる工程と、成形型３の間に基板１０を配置する工程と、成形型３を型締めする工程と、キャビティ４に流動性樹脂１１を充填する工程と、流動性樹脂１１を硬化させて硬化樹脂１２を形成する工程と、成形型３を型開きする工程と、基板１０と硬化樹脂１２とを有する成形体１３を取り出す工程とを有する樹脂封止方法で、シート７は硬化樹脂１２の側の低密着層８と型面５の側のクリーニング層９とからなる。低密着層８は硬化樹脂１２に対する低密着性を有し、クリーニング層９は流動性樹脂１１又はシート７に含まれる樹脂成分を除去する機能を有する。【選択図】図１
2006027081.tif 000002
【特許請求の範囲】
【請求項１】
流動性樹脂を硬化させて硬化樹脂を形成する際に、相対向する成形型の間にシート状部材を配置する工程と、前記成形型の間において基板を配置する工程と、前記流動性樹脂又は前記シート状部材に含まれる樹脂成分が付着する可能性がある型面を覆うようにして前記型面に前記シート状部材を沿わせる工程と、前記成形型を型締めする工程と、前記成形型に設けられたキャビティを前記流動性樹脂によって充填された状態にする工程と、前記流動性樹脂を硬化させて前記硬化樹脂を形成する工程と、前記成形型を型開きする工程と、前記基板と前記硬化樹脂とを有する成形体を取り出す工程とを備える樹脂封止方法であって、
前記シート状部材は前記樹脂成分を除去する機能を有するとともに、
前記成形型の型締めを解除した後に前記型面又は前記硬化樹脂から前記シート状部材を剥離することによって前記樹脂成分を除去する工程を備えることを特徴とする樹脂封止方法。
【請求項２】
請求項１記載の樹脂封止方法において、
前記シート状部材は第１のシートと第２のシートとからなり、
前記シート状部材を配置する工程では、前記型面に対して前記第２のシートと前記第１のシートとを順次重なるようにして配置するとともに、
前記第２のシートは前記樹脂成分を除去する機能を有し、
前記第１のシートは前記硬化樹脂に対する低密着性を有することを特徴とする樹脂封止方法。
【請求項３】
請求項２記載の樹脂封止方法において、
前記第１のシートと前記第２のシートとは一体的に構成されていることを特徴とする樹脂封止方法。
【請求項４】
相対向する成形型が型締めされた状態において、前記成形型の間に配置された基板上に流動性樹脂を硬化させて硬化樹脂を形成して電子部品を製造する際に前記成形型の間に配置されて使用されるシート状部材であって、
前記流動性樹脂又は前記シート状部材に含まれる樹脂成分を除去する機能を有するとともに、
前記成形型が型締めされた状態において前記樹脂成分が付着する可能性がある型面に接触しており、かつ、前記成形型の型締めが解除された後に前記型面又は前記硬化樹脂から剥離されることにより前記樹脂成分を除去することを特徴とするシート状部材。
【請求項５】
請求項４記載のシート状部材において、
前記シート状部材は重なり合うようにして一体的に構成された第１のシートと第２のシートとからなり、
前記第２のシートは前記樹脂成分を除去する機能を有し、
前記第１のシートは前記硬化樹脂に対する低密着性を有するとともに、
前記成形型が型締めされた状態において前記第２のシートが前記型面に接触していることを特徴とするシート状部材。
【発明の詳細な説明】
【技術分野】
【０００１】
本発明は、リードフレーム等の回路基板上に装着された半導体チップ等のチップ状素子（以下、適宜「チップ」という。）を樹脂封止して、又は、シリコンウエーハ等の半導体基板上において樹脂封止して、電子部品を製造する場合における樹脂封止方法及びシート状部材に関するものである。
【背景技術】
【０００２】
従来の樹脂封止を、リードフレーム等の電子部品製造用の回路基板（以下「基板」という。）上に装着されたチップを樹脂封止して電子部品を製造する場合を例にとって、説明する。従来の樹脂封止では、まず、相対向する樹脂封止用の成形型において、一方の成形型が有する型面に、チップが装着された基板を載置する。ここで、平面視した場合において、他方の成形型に設けられたキャビティにチップが含まれるようにして基板を位置合わせする。次に、相対向する成形型を型締めし、その後に樹脂流路を介してキャビティに流動性樹脂を充填する。次に、流動性樹脂を硬化させて硬化樹脂を形成し、その後に相対向する成形型を型開きする。次に、エジェクタピンを使用して、基板とチップと硬化樹脂とを含む成形体を突き出すことにより、これを成形型から取り出す。次に、硬化樹脂のうち不要な部分を成形体から分離して、電子部品を完成させる。
【０００３】
しかしながら、上述の従来の技術によれば、樹脂封止、すなわち樹脂成形を繰り返すことによって、成形型に対する成形体の離型性、詳細にいえばキャビティと樹脂流路とにおける型面に対する硬化樹脂の離型性が低下するという問題がある。この問題は、樹脂封止を繰り返すことによって、流動性樹脂に含まれる成分が付着物としてそれらの型面に付着し、その付着物が堆積していくことに起因して発生する。型面において付着物が堆積すると、硬化樹脂と堆積した付着物との間の密着性によって、成形型に対する成形体の離型性が低下する。このことにより、成形体を離型させようとしてエジェクタピンを使用して成形体を押圧すると、成形体を損傷させるおそれがある。また、成形体が離型されにくくなるので、樹脂封止装置が停止して樹脂封止工程の効率が低下するおそれがある。更に、エジェクタピンの存在によって、成形型の構成、ひいては樹脂封止装置の構成が複雑になるという問題もある。
【０００４】
また、付着物を除去するために、一定の頻度で次のような作業を行う必要がある。それは、ブラシ等を使用して行う型面の清掃（例えば、特許文献１参照）、型面に対する離型剤の塗布、クリーニング用部材や離型剤を含む樹脂材料等を使用して行う離型性回復用の樹脂成形（例えば、特許文献２参照）という作業である。これらの作業は、樹脂成形装置の複雑化と、工数の増加とを招く。したがって、装置コスト及び加工コストが増大するという問題がある。
【０００５】
また、流動性樹脂に含まれる成分が型面に付着することを防止するために、キャビティと樹脂流路とにおける型面に沿ってフィルムを張設して、その状態で型締めした後に樹脂封止を行う方式が提案されている。これにより、成形体が有する硬化樹脂と基板とは型面に接触せず、フィルムに接触する。したがって、成形体がフィルムから引き離されることになるので、成形型から成形体を容易に離型させることができる（例えば、特許文献３参照）。しかし、この場合においても、フィルムが有する微小な連通孔を通して、流動性樹脂の成分、すなわち樹脂成分のうちガス成分が、付着物として型面に付着するおそれがある。また、フィルム自体に含まれる樹脂成分が気化したガス成分が、付着物として型面に付着するおそれもある。したがって、型面における付着物がまったく生じないようにすることは困難である。
【特許文献１】特開平５−１８３００２号公報（第２頁、図１、図２）
【特許文献２】特開平３−２０２３２７号公報（第３頁、第６頁、図２）
【特許文献３】特開平８−１４２１０５号公報（第４頁−第５頁、図３）
【発明の開示】
【発明が解決しようとする課題】
【０００６】
本発明が解決しようとする課題は、成形型の型面において付着物が堆積する結果として成形型に対する成形体の離型性が低下することである。
【０００７】
上述の課題を解決するために、本発明に係る樹脂封止方法は、流動性樹脂（１１，３０）を硬化させて硬化樹脂（１２，３１）を形成する際に、相対向する成形型（３）の間にシート状部材（７，１５）を配置する工程と、成形型（３）の間において基板（１０，２５）を配置する工程と、流動性樹脂（１１，３０）又はシート状部材（７，１５）に含まれる樹脂成分が付着する可能性がある型面（５）を覆うようにして型面（５）にシート状部材（７，１５）を沿わせる工程と、成形型（３）を型締めする工程と、成形型（３）に設けられたキャビティ（４，２４）を流動性樹脂（１１，３０）によって充填された状態にする工程と、流動性樹脂（１１，３０）を硬化させて硬化樹脂（１２，３１）を形成する工程と、成形型（３）を型開きする工程と、基板（１０，２５）と硬化樹脂（１２，３１）とを有する成形体（１３，３２）を取り出す工程とを備える樹脂封止方法であって、シート状部材（７，１５）は樹脂成分を除去する機能を有するとともに、成形型（３）の型締めを解除した後に型面（５）又は硬化樹脂（１２，３１）からシート状部材（７，１５）を剥離することによって樹脂成分を除去する工程を備えることを特徴とする。
【０００８】
また、本発明に係る樹脂封止方法は、上述の樹脂封止方法において、シート状部材（７，１４，１５）は第１のシート（８，１４）と第２のシート（９，１５）とからなり、シート状部材（７，１４，１５）を配置する工程では、型面（５）に対して第２のシート（９，１５）と第１のシート（８，１４）とを順次重なるようにして配置するとともに、第２のシート（９，１５）は樹脂成分を除去する機能を有し、第１のシート（８，１４）は硬化樹脂（１２，３１）に対する低密着性を有することを特徴とする。
【０００９】
また、本発明に係る樹脂封止方法は、上述の樹脂封止方法において、第１のシート（８）と第２のシート（９）とは一体的に構成されていることを特徴とする。
【００１０】
また、本発明に係るシート状部材（７，１５）は、相対向する成形型（３）が型締めされた状態において、成形型（３）の間に配置された基板（１０，２５）上に流動性樹脂（１１，３０）を硬化させて硬化樹脂（１２，３１）を形成して電子部品を製造する際に成形型（３）の間に配置されて使用されるシート状部材（７，１５）であって、流動性樹脂（１１，３０）又はシート状部材（７，１５）に含まれる樹脂成分を除去する機能を有するとともに、成形型（３）が型締めされた状態において樹脂成分が付着する可能性がある型面（５）に接触しており、かつ、成形型（３）の型締めが解除された後に型面（５）又は硬化樹脂（１２，３１）から剥離されることにより樹脂成分を除去することを特徴とする。
【００１１】
また、本発明に係るシート状部材（７）は、上述のシート状部材（７）において、シート状部材（７）は重なり合うようにして一体的に構成された第１のシート（８）と第２のシート（９）とからなり、第２のシート（９）は樹脂成分を除去する機能を有し、第１のシート（８）は硬化樹脂（１２，３１）に対する低密着性を有するとともに、成形型（３）が型締めされた状態において第２のシート（９）が型面（５）に接触していることを特徴とする。
【発明の効果】
【００１２】
本発明に係る樹脂封止方法によれば、相対向する成形型（３）を型締めした状態において、型面（５）にシート状部材（７，１５）を沿わせており、それらのシート状部材（７，１５）は、流動性樹脂（１１，３０）又はシート状部材（７，１４，１５）に含まれる樹脂成分を除去する機能を有している。そして、成形型（３）の型締めを解除した後に、型面（５）又は硬化樹脂（１２，３１）からシート状部材（７，１５）を剥離することによって、樹脂成分を除去する。これにより、第１に、型面（５）に付着した樹脂成分からなる付着物を除去することができる。したがって、型面（５）に付着物が付着していない状態で樹脂封止を行うので、良好な離型性を維持することができる。第２に、硬化樹脂（１２，３１）の最表面から樹脂成分を除去することが可能になるので、エジェクタピンを使用することなく成形型（３）から成形体（１３，３２）を離型することができる。
【００１３】
また、型面（５）に対して第２のシート（９，１５）と第１のシート（８，１４）とを順次重なるようにして配置し、第１のシート（８，１４）は硬化樹脂（１２，３１）に対する低密着性を有する。これにより、成形型（３）が型開きする際に、硬化樹脂（１２，３１）を有する成形体（１３，３２）を、型面（５）から、正確に言えば第１のシート（８，１４）から容易に離型することができる。
【００１４】
また、第１のシート状部材（８）と第２のシート状部材（９）とが一体的に構成されているので、シート状部材（７）の搬送工程を簡素化することができる。したがって、樹脂封止工程の工数を削減することができる。また、シート状部材（７）を一体的に搬送するので、樹脂封止装置の構成を簡素化することができる。
【００１５】
本発明に係るシート状部材（７，１５）によれば、流動性樹脂（１１，３０）又はシート状部材（７，１５）に含まれる樹脂成分を除去する機能を有する。また、シート状部材（７，１５）は、成形型（３）が型締めされた状態において型面（５）に接触しており、かつ、成形型（３）の型締めが解除された後に型面（５）又は硬化樹脂（１２，３１）から剥離されることにより樹脂成分を除去する。これにより、第１に、成形型（３）が型開きする際に、型面（５）に付着した樹脂成分からなる付着物が除去される。したがって、エジェクタピンを使用することなく成形型（３）から成形体（１３，３２）が離型されるとともに、型面（５）に付着物が付着していない状態で樹脂封止が行われるので良好な離型性が維持される。第２に、硬化樹脂（１２，３１）の最表面から樹脂成分が除去されることが可能になるので、エジェクタピンを使用することなく成形型（３）から成形体（１３，３２）が離型されやすくなる。
【００１６】
また、成形型（３）が型締めされた状態において第２のシート（９）が型面（５）に接触するとともに、第２のシート（９）に重なり合うようにして一体的に構成された第１のシート（８）が硬化樹脂（１２，３１）に対する低密着性を有する。これにより、成形型（３）が型開きする際に、硬化樹脂（１２，３１）を有する成形体（１３，３２）が、型面（５）から、正確に言えば第１のシート（８）から容易に離型される。
【発明を実施するための最良の形態】
【００１７】
相対向する上型（１）と下型（２）との間にシート（７）を配置する工程と、少なくとも上型（１）に設けられたキャビティ（４）の型面（５）にシート（７）を沿わせる工程と、上型（１）と下型（２）との間に基板（１０）を配置する工程と、上型（１）と下型（２）とを型締めする工程と、キャビティ（４）に流動性樹脂（１１）を充填する工程と、流動性樹脂（１１）を硬化させて硬化樹脂（１２）を形成する工程と、上型（１）と下型（２）とを型開きする工程と、基板（１０）と硬化樹脂（１２）とを有する成形体（１３）を取り出す工程とを有する樹脂封止方法であって、シート（７）は、硬化樹脂（１２）の側における低密着層（８）と型面（５）の側におけるクリーニング層（９）とからなる。低密着層（８）は硬化樹脂（１２）に対する低密着性を有し、クリーニング層（９）は流動性樹脂（１１）又はシート状部材（７）に含まれる樹脂成分を除去する機能を有する。
【実施例１】
【００１８】
本発明の実施例１に係るシート状部材及び樹脂封止方法を、図１を参照して説明する。図１（１）は本実施例においてシート状部材がキャビティに沿って配置された状態を、図１（２）は成形型が型締めしてキャビティにおける所定の空間が流動性樹脂によって充填された状態を、図１（３）は流動性樹脂が硬化して硬化樹脂が形成され成形型が型開きした状態を、それぞれ示す部分断面図である。なお、以下の説明において使用するいずれの図についても、わかりやすくするために、適宜省略又は誇張して、また、模式的に描かれている。
【００１９】
図１において、相対向する上型１と下型２とは、併せて樹脂封止用、すなわち、樹脂成型用の成形型３を構成する。上型１には、流動性樹脂（後述）が注入されるキャビティ４が設けられ、更に、キャビティ４に連通して流動性樹脂が流動する樹脂流路（図示なし）が設けられている。そして、上型１が有する型面５においては、キャビティ４内に開口を形成するようにして、吸引孔６が設けられている。吸引孔６は、成形型３の外部に設けられ減圧ポンプや減圧タンク等と弁とからなる吸引機構（図示なし）に接続されている。
【００２０】
上型１と下型２との間には、短冊状のシート状部材であるシート７が設けられている。そして、そのシート７は、吸引孔６を介して吸引されることによって、キャビティ４における型面を含む型面５に沿うようにして配置されている。シート７は、少なくとも、下型２に対向する側、すなわち硬化樹脂（後述）に接する側に設けられた低密着層８と、その低密着層８の反対側、すなわち型面５に対向する側に設けられたクリーニング層９とによって、構成されている。また、このシート７は、基材の両面に低密着層８とクリーニング層９とが形成されている構成を有してもよい。低密着層８は、硬化樹脂に対する低密着性と一定の耐熱性とを有する材料、例えば、ポリテトラフルオロエチレン（ＰＴＦＥ）に代表されるフッ素樹脂から構成されている。また、クリーニング層９は、型面５から剥離される際に、その型面５における付着物を剥離して除去する機能を有する材料、例えば、未加硫ゴムから構成されている。ここで、型面５における付着物は、流動性樹脂に含まれる樹脂成分、すなわちその流動性樹脂が硬化した硬化樹脂にも含まれ得る樹脂成分が型面５に付着することや、シート７自体に含まれる樹脂成分が気化したガス成分が型面５に付着すること等によって形成される。したがって、クリーニング層９は、流動性樹脂又はシート７に含まれる樹脂成分、すなわち有機成分を除去する機能を有することになる。また、型面５における付着物は、作業者の不注意から異物が型面５に接触する等して、有機成分が付着することによって形成される場合もある。
【００２１】
以下、本実施例に係る樹脂封止方法を説明する。まず、図１（１）に示すように、吸引孔６を介してシート７を吸引して、これをキャビティ４における型面を含む型面５に吸着させて、すなわち型面５に沿うようにして配置する。次に、１個又は複数個のチップ（図示なし）が装着された基板１０を、下型２の所定の位置に載置する。ここで、平面視した場合に１個又は複数個のチップがキャビティ４に含まれるようにして、基板１０を位置合わせする。また、チップと基板１０との電極同士は、ワイヤボンディングやフリップチップボンディング等によって電気的に接続されている。ここで、キャビティ４における型面が、流動性樹脂１１又はシート７に含まれる樹脂成分が付着する可能性がある型面に相当する。
【００２２】
次に、図１（２）に示すように、上型１と下型２とからなる成形型３を型締めし、その後にキャビティ４に流動性樹脂１１を充填する。ここで、正確に言えば、平面視した場合にキャビティ４におけるシート７の低密着層８と基板１０とに重なる所定の空間に、流動性樹脂１１を充填する。この流動性樹脂１１は、例えば、エポキシ樹脂のような熱硬化性樹脂からなり、プランジャ（図示なし）によって加圧されて、樹脂流路（図示なし）を経由してキャビティ４に充填される。この工程では、型面５に沿うようにしてシート７を配置するが、シート７が有する微小な連通孔を透過して、流動性樹脂１１の成分、すなわち樹脂成分のうちガス成分が型面５に付着する可能性がある。また、シート７自体に含まれる樹脂成分が気化したガス成分が、型面５に付着する可能性もある。
【００２３】
次に、図１（３）に示すように、流動性樹脂１１を更に加熱してこれを硬化させて硬化樹脂１２を形成し、その後に成形型３の型締めを解除して、成形型３を型開きする。そして、硬化樹脂１２のうち不要な部分、すなわち、不要樹脂を分離してこれを除去するとともに、吸引孔６による吸引を解除した後に使用済のシート７を搬出する。これにより、基板１０と硬化樹脂１２とを有する成形体１３を完成させることができる。この成形体１３が、完成品である電子部品に相当する。
【００２４】
本実施例によれば、成形型３を型締めした状態で、硬化樹脂１２と型面５との間において、第１に、硬化樹脂１２に対する低密着性を有する低密着層８を、硬化樹脂１２に接して存在させる。したがって、成形型３を型開きする際に、硬化樹脂１２を有する成形体１３を型面５から、正確に言えばシート７の低密着層８から容易に離型することができる。第２に、流動性樹脂１１又はシート７に含まれる樹脂成分を除去する機能を有するクリーニング層９を、型面５に接して存在させる。したがって、成形型３を型締めした状態で、型面５における樹脂成分からなる付着物を剥離してクリーニング層９に付着させた後に、成形型３を型開きして、使用済のシート７を搬出することによって、クリーニング層９とともにその付着物を除去することができる。これらのことにより、エジェクタピンを使用することなく成形型３から成形体１３を離型することができるとともに、型面５に付着物が付着していない状態で樹脂封止を行うので良好な離型性を維持することができる。
【００２５】
以上説明したように、本実施例によれば、エジェクタピンを使用することなく成形型３から成形体１３を離型することができ、型面５に付着物が付着していない状態で樹脂封止をすることができる。また、低密着層８とクリーニング層９とが一体的に構成されているので、シート７の搬送工程を簡素化することができる。これにより、樹脂封止工程の工数を削減することができるとともに、樹脂封止装置の構成を簡素化することができる。
【００２６】
なお、本実施例では、短冊状のシート７を使用した。これに限らず、連続するシート状部材によってシート７を構成し、いわゆるｒｏｌｌ  ｔｏ  ｒｏｌｌ方式によって、シート７を上型１と下型２との間に供給するとともにその間から搬出してもよい。
【実施例２】
【００２７】
本発明の実施例２に係る樹脂封止方法について、図１と図２とを参照して説明する。図２（１）は本実施例において成形型の間に連続するシート状部材を配置する工程を模式的に示し、図２（２）は図２（１）の一部においてシート状部材が型面に沿って配置された状態を示し、図２（３）は図２（２）の状態から更に別のシート状部材が型面に沿って配置された状態を示す、それぞれ部分断面図である。本実施例は、硬化樹脂に対する低密着性と一定の耐熱性とを有するシート状部材と、流動性樹脂又はシート状部材に含まれる樹脂成分を除去する機能を有するシート状部材とを、それぞれｒｏｌｌ  ｔｏ  ｒｏｌｌ方式によって、上型と下型との間に連続的に供給するとともにその間から搬出することを特徴とする。
【００２８】
図２において、第１のシート１４は、硬化樹脂に対する低密着性と一定の耐熱性とを有する連続するシート状部材であって、実施例１の低密着層８と同様の材料から構成されている。第２のシート１５は、流動性樹脂又はシートに含まれる樹脂成分を除去する機能と連通孔（図示なし）とを有する多孔性の連続するシート状部材であって、実施例１のクリーニング層９と同様の材料から構成されている。また、第１のシート１４は、供給用ロール１６から順次テンションローラ１７を経て巻取用ロール１８によって巻き取られ、第２のシート１５は、供給用ロール１９から順次テンションローラ２０を経て巻取用ロール２１によって巻き取られる。ここで、第１のシート１４は基板１０に対向し、第２のシート１５はキャビティ４が設けられた上型１に対向し、かつ、第１のシート１４と第２のシート１５とが互いに重なり合うとともに少なくともキャビティ４における型面５を覆うようにして、それぞれ上型１と下型２との間に張設されている。
【００２９】
本実施例に係る樹脂封止方法によれば、図２（１）に示すように、まず、上型１と下型２との間において、上型１の型面５に対して第２のシート１５と第１のシート１４とを順次重なるようにして張設する。すなわち、第２のシート１５を上型１の型面５に沿わせるとともに、第１のシート１４を基板１０に対向させて張設する。そして、図２（１）に示された状態から、吸引孔６を介して第２のシート１５を吸引する。このことにより、図２（２）に示すように、第２のシート１５を吸着して、これを少なくともキャビティ４が有する型面５に沿わせるようにして配置する。
【００３０】
次に、図２（２）に示すように、吸引孔６を介して第２のシート１５を吸着した状態を保ちながら、上型１を下降させる。ここで、第２のシート１５は、連通孔（図示なし）を有する多孔性のシート状部材からなるので、それらの連通孔を介して第１のシート１４を吸引することができる。これにより、図２（３）に示すように、第２のシート１５を介して第１のシート１４を吸着して、第２のシート１５と第１のシート１４との双方を型面５に沿わせるようにして配置する。
【００３１】
次に、図２（２）に示した状態から、更に上型１を下降させて、上型１と下型２とからなる成形型３を型締めする。そして、実施例１と同様に、キャビティ４に流動性樹脂１１を充填し（図１（２）参照）、流動性樹脂１１を硬化させて硬化樹脂１２を形成し、その後に成形型３を型開きして、不要樹脂を除去する（図１（３）参照）。これにより、基板１０と硬化樹脂１２とを有する成形体１３を完成させることができる。その後に、成形体１３を取り出す。
【００３２】
本実施例によれば、成形型３を型開きする際に、硬化樹脂１２を有する成形体１３を型面５から、正確に言えば硬化樹脂１２に対する低密着性を有する第１のシート１４から、容易に離型することができる。また、使用した第２のシート１５を型面５から引き離す際に、型面５における付着物をシート１５とともに除去することができる。更に、本実施例によれば、第１のシート１４の型締めされた部分において硬化樹脂に対する低密着性が維持されていれば、第１のシート１４のその部分を次の樹脂封止においても使用することができる。また、第２のシート１５の型締めされた部分において流動性樹脂又はシートに含まれる樹脂成分を除去する機能が維持されていれば、第２のシート１５のその部分を次の樹脂封止においても使用することができる。したがって、第１のシート１４又は第２のシート１５を複数回使用することが容易になる。実際には、実験・評価を行って、第１のシート１４又は第２のシート１５を繰り返し使用することができる回数を事前に決定し、その回数だけこれらのシートをそれぞれ繰り返して使用すればよい。
【００３３】
以上説明したように、本実施例によれば、実施例１の場合と同様の効果が得られる。すなわち、エジェクタピンを使用することなく成形型３から成形体を離型することができるとともに、型面５に付着物が付着していない状態で樹脂封止をすることができる。更に、第１のシート１４又は第２のシート１５を複数回使用することが容易になるので、これらのシート状部材の使用量を削減することができる。
【００３４】
なお、本実施例では、第１のシート１４と第２のシート１５とを、それぞれｒｏｌｌ  ｔｏ  ｒｏｌｌ方式によって、上型と下型との間に連続的に供給するとともにその間から搬出することとした。これに限らず、第１のシート１４と第２のシート１５との一方又は双方を、短冊状のシートとして供給し、搬出することもできる。
【実施例３】
【００３５】
本発明の実施例３に係る樹脂封止方法を、図３を参照して説明する。図３（１）は本実施例においてシート状部材がキャビティに沿って配置されるとともにキャビティに固形樹脂材料が供給された状態を、図３（２）は成形型が型締めしてキャビティにおける所定の空間が流動性樹脂によって充填された状態を、図３（３）は流動性樹脂が硬化して硬化樹脂が形成され成形型が型開きした状態を、それぞれ示す部分断面図である。本実施例は、いわゆる圧縮成形においてシート状部材を使用することを特徴とする。
【００３６】
図３に示されているように、本実施例では、下型２にキャビティ４が形成され、そのキャビティ４における型面を含む型面５に沿って、短冊状のシート７が配置されている。このシート７は、吸引孔６を介して吸引されることによって、型面５に吸着されている。この状態において、シート７が有する低密着層８が基板１０に対向するとともに、クリーニング層９が型面５に接している。また、キャビティ４における低密着層８の上には、固形樹脂材料２２が供給されている。この固形樹脂材料２２は、例えば、熱硬化性樹脂からなるとともに、粉状、粒状、塊状、シート状等の形状を有している。基板１０は、上型１に設けられた吸引孔２３を介して上型１に吸着されて固定されている。
【００３７】
以下、本実施例に係る樹脂封止方法を説明する。まず、図３（１）に示すように、上型１の型面（図では下面）に、吸引孔２３を介して基板１０を吸着して固定する。また、キャビティ４における低密着層８の上に、固形樹脂材料２２を供給する。その後に、下型２に設けられたヒータや、上方から固形樹脂材料２２を加熱するヒータブロックやハロゲンランプ等の加熱手段（いずれも図示なし）を使用して、固形樹脂材料２２を加熱して溶融させる。また、金属性のリードフレームからなる基板１０にチップがフリップチップボンディングされている場合には、上型１に設けられたヒータ（図示なし）を使用して、基板１０を介して固形樹脂材料２２を加熱して溶融させてもよい。
【００３８】
次に、図３（１）の状態から、固形樹脂材料２２を溶融させて溶融樹脂、すなわち流動性樹脂１１を形成する。これにより、図３（２）に示すように、キャビティ４における低密着層８と基板１０とに重なる所定の空間を、流動性樹脂１１によって充填された状態にして、その状態で上型１と下型２とからなる成形型３を型締めする。また、成形型３を型締めしながら、固形樹脂材料２２を溶融させてもよい。第１の実施例と同様に、この工程においては、流動性樹脂１１に含まれる樹脂成分のうちガス成分が型面５に付着する可能性がある。また、シート７自体に含まれる樹脂成分が気化したガス成分が型面５に付着する可能性もある。
【００３９】
次に、図３（３）に示すように、流動性樹脂１１を更に加熱してこれを硬化させて硬化樹脂１２を形成し、その後に成形型３を型開きする。そして、実施例１と同様に、硬化樹脂１２のうち不要な部分、すなわち、不要樹脂を分離してこれを除去するとともに、吸引孔６による吸引を解除した後に使用済のシート７を搬出する。これにより、基板１０と硬化樹脂１２とを有する成形体１３を完成させることができる。ここで、成形型３を型開きする際に、硬化樹脂１２を有する成形体１３を型面５から、正確に言えばシート７の低密着層８から容易に離型することができる。また、使用済のシート７を搬出する際に、型面５における付着物をクリーニング層９とともに除去することができる。
【００４０】
以上説明したように、本実施例によれば、圧縮成形においても、実施例１の場合と同様の効果が得られる。すなわち、エジェクタピンを使用することなく成形型３から成形体を離型することができるとともに、型面５に付着物が付着していない状態で樹脂封止をすることができる。
【００４１】
なお、本実施例においては、ディスペンサやノズル等を使用して、常温で液状の流動性樹脂１１をキャビティ４に供給してもよい。この場合においても、キャビティ４を流動性樹脂１１によって充填された状態にして、その状態で流動性樹脂１１を硬化させることになる。
【００４２】
また、実施例１−３においては、基板１０に装着された１個又は複数個のチップを樹脂封止して１個の電子部品を製造する場合について説明した。これに限らず、個々の電子部品に相当する単位領域が格子状に形成されたマトリックス型の基板１０において、各単位領域にチップをそれぞれ装着し、それらのチップを一括して樹脂封止して成形体１３を形成する場合においても、本発明を適用することができる。この場合には、回転刃等（図示なし）によってその成形体１３を分割又は切断等して、各単位領域に対応する電子部品を完成させる。
【００４３】
また、実施例１−３においては、１枚の基板１０に装着された複数個のチップをそれぞれ個別に覆うキャビティ４に流動性樹脂１１を注入して硬化させることにより、樹脂封止を行う場合においても、本発明を適用することができる。この場合においては、樹脂封止を行って成形体を形成した後に、打ち抜きや切断等の方法によって成形体を分離して、それぞれチップを有する電子部品を完成させることになる。
【００４４】
また、実施例１−３においては、シート７と第１のシート１４及び第２のシート１５とを、キャビティ４における型面を含む型面５に沿うようにして配置した。これに限らず、キャビティ４の型面における大面積の部分、すなわち内底面を覆うようにして配置してもよい。そして、樹脂流路（図示なし）が設けられている場合には、キャビティ４とその樹脂流路との型面を含む型面に沿うようにして、シート７と第１のシート１４及び第２のシート１５とを配置してもよい。
【００４５】
また、実施例１−３において基板１０が多数の貫通孔を有するリードフレームである場合には、基板１０と型面との間に、シート７を配置してもよく、第１のシート１４及び第２のシート１５とを重ねて配置してもよい。この場合には、図１と図２とにおいては下型２の型面が、図３においては上型１の型面が、基板１０の貫通孔を通過した樹脂成分、言い換えれば流動性樹脂に含まれる樹脂成分が付着する可能性がある型面に相当する。そして、図１と図２とにおいては下型２の型面に沿って、図３においては上型１の型面に沿って、シート７のクリーニング層９又は第２のシート１５を配置し、基板１０においてそれらの型面に対向する面に沿ってシート７の低密着層８又は第１のシート１４を配置する。これにより、シート７の低密着層８又は第１のシート１４によって、樹脂成分が基板１０の貫通孔を通過することを防止するとともに、貫通孔において硬化した硬化樹脂を含む成形体を容易に離型させることができる。また、シート７のクリーニング層９又は第２のシート１５によって、型面における樹脂成分からなる付着物を除去することができる。
【実施例４】
【００４６】
本発明の実施例４に係る樹脂封止方法を、図４を参照して説明する。図４（１）は本実施例において成形型の間にシート状部材が配置され下型に基板と固形樹脂材料とが配置された状態を、図４（２）は成形型が型締めしてキャビティにおける所定の空間が流動性樹脂によって充填された状態を、図４（３）は流動性樹脂が硬化して硬化樹脂が形成され成形型が型開きした状態を、それぞれ示す部分断面図である。本実施例は、いわゆるウエーハレベルパッケージを使用して電子部品を製造する際に、シート状部材を使用することを特徴とする。
【００４７】
本実施例では、図４に示されているように、下型２にキャビティ２４が設けられ、そのキャビティ２４にシリコンウエーハ等からなる半導体基板２５が載置されている。半導体基板２５は、その面のうち回路及び電極が形成されている機能面２６が上型１に対向するようにしてキャビティ２４に載置され、その機能面２６には突起状電極２７が形成されている。また、半導体基板２５には、完成品である電子部品に対応する単位領域２８が、格子状に形成されている。また、機能面２６の上には、例えば、熱硬化性樹脂からなる円柱状の固形樹脂材料２９が配置されている。更に、固形樹脂材料２９と上型１の型面５との間には、キャビティ２４を覆うようにして、すなわちキャビティ２４に対向する型面を含む型面５を覆うようにして、短冊状のシート７が配置されている。この状態において、シート７が有する低密着層８が固形樹脂材料２９に対向しており、クリーニング層９が上型１の型面５に対向している。ここで、本実施例では、半導体基板２５が、実施例１−３における基板１０に相当する。
【００４８】
以下、本実施例に係る樹脂封止方法を説明する。まず、図４（１）に示すように、下型２のキャビティ２４に半導体基板２５を載置し、半導体基板２５の機能面２６の上に固形樹脂材料２９を配置する。そして、固形樹脂材料２９と上型１の型面５との間にはシート７を配置する。この状態から、上型１を下降させる。
【００４９】
次に、上型１によって、シート７を介して固形樹脂材料２９を押圧する。ここで、図４（２）に示すように、上型１に設けられたヒータ（図示なし）を使用して固形樹脂材料２９を加熱し溶融させて、溶融樹脂、すなわち流動性樹脂３０を形成する。そして、引き続き上型１を下降させて、シート７を介して上型１と下型２とからなる成形型３を型締めする。この状態で、突起状電極２７の先端部はシート７に食い込む。また、流動性樹脂３０は、半導体基板２５の機能面２６を覆うとともに、余分な流動性樹脂３０は半導体基板２５の側面に回り込む。この工程では、シート７が有する微小な連通孔を透過して、流動性樹脂３０の成分、すなわち樹脂成分のうちガス成分が型面５に付着する可能性がある。また、シート７自体に含まれる樹脂成分が気化したガス成分が、型面５に付着する可能性もある。
【００５０】
次に、図４（２）に示した状態から、流動性樹脂３０を更に加熱してこれを硬化させて硬化樹脂３１を形成し、その後に成形型３を型開きする。これにより、図４（３）に示すように、半導体基板２５と硬化樹脂３１とを有する成形体３２を完成させ、その後に、使用済のシート７と完成した成形体３２とをそれぞれ搬出する。ここで、成形型３を型開きする際に、硬化樹脂３１を有する成形体３２を上型１の型面５から、正確に言えばシート７の低密着層８から容易に離型することができる。また、使用済のシート７を搬出する際に、型面５における付着物をクリーニング層９とともに除去することができる。更に、成形体３２においては、シート７に食い込んでいた突起状電極２７の先端部が、外部電極３３として硬化樹脂３１から突出している。
【００５１】
次に、検査装置を使用して、成形体３２の各単位領域２８について動作の検査を行う。その後に、回転刃等（図示なし）を使用して、各単位領域２８の境界線であるダイシングライン３４において、成形体３２を分割する。これにより、成形体３２の各単位領域２８に対応する電子部品を完成させることができる。
【００５２】
以上説明したように、本実施例によれば、いわゆるウエーハレベルパッケージを使用して電子部品を製造する場合においても、シート状部材７を使用することによって、実施例１の場合と同様の効果が得られる。すなわち、エジェクタピンを使用することなく成形型３から成形体３２を離型することができるとともに、型面５に付着物が付着していない状態で樹脂封止をすることができる。また、樹脂封止工程の工数を削減することができるとともに、樹脂封止装置の構成を簡素化することができる。また、完成品である電子部品において、外部電極３３が硬化樹脂３１から突出しているので、その電子部品の実装が確実に行われる。
【００５３】
なお、実施例３，４では、短冊状のシート７を使用した。これに限らず、連続するシート状部材によってシート７を構成し、いわゆるｒｏｌｌ  ｔｏ  ｒｏｌｌ方式によって、シート７を上型１と下型２との間に供給するとともにその間から搬出してもよい。また、実施例２と同様に、シート７の低密着層８とクリーニング層９とを、別々の部材として供給することもできる。
【００５４】
また、ここまで説明した各実施例では、流動性樹脂又はシートに含まれる樹脂成分を除去する機能を有するクリーニング層９及び第２のシート１５を構成する材料として、例えば、未加硫ゴムを使用することとした。これに限らず、型面５に付着した樹脂成分と型面５との間の密着性を低下させることにより、又は、型面５に付着した樹脂成分を分解させることにより、その樹脂成分を除去する機能を有する材料を使用して、クリーニング層９及び第２のシート１５を構成することもできる。例えば、一方の面に二酸化チタンを含む機能層が形成されたシート状部材によって、クリーニング層９及び第２のシート１５を構成してもよい。この場合には、成形型３を型締めする前に光（特に紫外光）によって機能層を照射すると、二酸化チタンが光触媒として機能する。これにより、シート状部材のその面において酸化分解作用が生起される。したがって、そのシート状部材を介して型締めした後に、シート状部材の機能層が形成された面に接触した型面において、付着していた樹脂成分が酸化分解作用によって分解される。これにより、型面からシート状部材が剥離される際に、その型面から分解された付着物、すなわち樹脂成分が除去される。
【００５５】
また、図１を例に説明すると、低離型層８を設けずに、シート７をクリーニング層９のみから構成してもよい。また、このシート７は、基材の両面にクリーニング層９がそれぞれ形成されている構成を有してもよい。これらの場合には、クリーニング層９が硬化樹脂１２の表面に接触、すなわち密着した状態から、上型１と下型２との型締めを解除して型開きを開始する。そして、硬化樹脂１２の表面からクリーニング層９を剥離する際に、クリーニング層９が硬化樹脂１２の表面からその硬化樹脂１２の最表面の部分を除去する。ここで、クリーニング層９の性質により、硬化樹脂１２の最表面の部分を剥離して、又は分解して除去することになる。そして、剥離する程度、又は分解する程度を適当に定めることによって、硬化樹脂１２の最表面の部分を、微小でほぼ均一の厚さだけ剥離又は分解して、除去することができる。これにより、硬化樹脂１２を有する成形体１３を、クリーニング層から容易に離型することができる。同様に、図２に示す場合においても、硬化樹脂に対する低密着性と一定の耐熱性とを有する第１のシート１４を設けずに、流動性樹脂又はシートに含まれる樹脂成分を除去する機能を有する第２のシート１５のみを、型面５に沿って配置してもよい。この場合には、第２のシート１５に多孔性は必要ない。
【００５６】
また、図１−図３に示す場合であって、基板１０が多数の貫通孔を有するリードフレームである場合には、基板１０とその基板１０が載置されている型面との間に、クリーニング層９のみからなるシート又は第２のシート１５を、その型面に接するようにして配置してもよい。ここで、これらのクリーニング層９と第２のシート１５とは、流動性樹脂又はシートに含まれる樹脂成分を除去する機能を有している。したがって、型面からそれらのシートを剥離する際に、基板１０の貫通孔を通過した樹脂成分、言い換えれば流動性樹脂に含まれていた樹脂成分からなる付着物を、その型面から除去することができる。
【００５７】
また、相対向する上型１と下型２とのうち、いずれか一方にキャビティ４，２４が設けられた実施例について説明した。これに限らず、電子部品の構成によっては上型１と下型２との双方にキャビティが設けられる場合があり、その場合にも本発明を適用することができる。この場合には、シート７が、上型１と下型２との双方に設けられたキャビティの型面に沿って、それぞれ配置される。また、第１のシート１４と第２のシート１５とが重ねられた状態で、上型１と下型２との双方に設けられたキャビティの型面に沿って、それぞれ配置される。
【００５８】
また、流動性樹脂又はシートに含まれる樹脂成分を除去する場合について説明した。これに限らず、異物が型面に接触する等してその型面に付着した有機成分を除去する場合においても、本発明を適用することができる。すなわち、型面に付着した有機成分全般を除去する場合に、本発明を適用することができる。
【００５９】
また、相対向する上型１と下型２とを使用した。本発明においては、上下方向に限らず相対向する複数の樹脂封止型を使用することができる。
【００６０】
また、本発明は、上述の各実施例に限定されるものではなく、本発明の趣旨を逸脱しない範囲内で、必要に応じて、任意にかつ適宜に組み合わせ、変更し、又は選択して採用できるものである。
【図面の簡単な説明】
【００６１】
【図１】図１（１）は本発明の実施例１においてシート状部材がキャビティに沿って配置された状態を、図１（２）は成形型が型締めしてキャビティにおける所定の空間が流動性樹脂によって充填された状態を、図１（３）は流動性樹脂が硬化して硬化樹脂が形成され成形型が型開きした状態を、それぞれ示す部分断面図である。
【図２】図２（１）は本発明の実施例２において成形型の間に連続するシート状部材を配置する工程を模式的に示し、図２（２）は図２（１）の一部においてシート状部材が型面に沿って配置された状態を示し、図２（３）は図２（２）の状態から更に別のシート状部材が型面に沿って配置された状態を示す、それぞれ部分断面図である。
【図３】図３（１）は本発明の実施例３においてシート状部材がキャビティに沿って配置されるとともにキャビティに固形樹脂材料が供給された状態を、図３（２）は成形型が型締めしてキャビティにおける所定の空間が流動性樹脂によって充填された状態を、図３（３）は流動性樹脂が硬化して硬化樹脂が形成され成形型が型開きした状態を、それぞれ示す部分断面図である。
【図４】図４（１）は本発明の実施例４において成形型の間にシート状部材が配置され下型に基板と固形樹脂材料とが配置された状態を、図４（２）は成形型が型締めしてキャビティにおける所定の空間が流動性樹脂によって充填された状態を、図４（３）は流動性樹脂が硬化して硬化樹脂が形成され成形型が型開きした状態を、それぞれ示す部分断面図である。
【符号の説明】
【００６２】
１    上型
２    下型
３    成形型
４，２４    キャビティ
５    型面
６，２３    吸引孔
７    シート（シート状部材）
８    低密着層（第１のシート）
９    クリーニング層（第２のシート）
１０    基板
１１，３０    流動性樹脂
１２，３１    硬化樹脂
１３，３２    成形体
１４    第１のシート
１５    第２のシート（シート状部材）
１６，１９    供給用ロール
１７，２０    テンションローラ
１８，２１    巻取用ロール
２２，２９    固形樹脂材料
２５    半導体基板（基板）
２６    機能面
２７    突起状電極
２８    単位領域
３３    外部電極
３４    ダイシングライン
【図１】
2006027081.tif 000003
【図２】
2006027081.tif 000004
【図３】
2006027081.tif 000005
【図４】
2006027081.tif 000006